(57)【要約】【課題】読取センサなどの構成部品の温度上昇を効率的に抑制することができる技術を提供するもの。【解決手段】媒体の搬送路を有する筐体と、前記搬送路に沿って媒体を搬送する搬送手段と、搬送中の媒体の画像を光走査で読み取る読取手段とを備え、前記筐体には、前記筐体内に外気を取り込むための取込口と、前記筐体内の空気を前記筐体外に排気するための排気口とが設けられ、前記筐体内に配置された前記搬送手段の駆動モータを固定する支持体の挿通孔を通って前記取込口と前記排気口との間を結ぶ気流経路の一部が、前記筐体内に配置された気流発生部によって前記読取手段の光走査方向に沿うように形成されることを特徴とする。【選択図】図１５
2018157408.tif 000002
【特許請求の範囲】
【請求項１】
媒体の搬送路を有する筐体と、
前記搬送路に沿って媒体を搬送する搬送手段と、
搬送中の媒体の画像を光走査で読み取る読取手段と
を備え、
前記筐体には、前記筐体内に外気を取り込むための吸気口と、前記筐体内の空気を前記筐体外に排気するための排気口とが設けられ、
前記筐体内に配置された前記搬送手段の駆動源を経由し、前記吸気口と前記排気口との間を結ぶ気流経路の一部が、前記筐体内に配置された気流発生部によって前記読取手段の光走査方向に沿うように形成されることを特徴とする画像読取装置。
【請求項２】
前記筐体内には、前記駆動源として第１及び第２駆動モータのそれぞれが実装される前記支持体が組み込まれ、
前記第１駆動モータは、前記気流経路の上流側であって前記吸気口に対向する位置に配置され、前記第２駆動モータは、前記気流径路の下流側であって前記排気口に対向する位置に配置され、
前記支持体は、前記気流径路を形成する壁面の一部を構成することを特徴とする請求項１に記載の画像読取装置。
【請求項３】
前記送風手段は、前記筐体の設置面における鉛直方向において、少なくとも一部が前記読取手段よりも高く位置するように設けられ、
前記吸気口は、前記鉛直方向において、前記読取手段よりも低く位置するように設けられることを特徴とする請求項１または２に記載の画像読取装置。
【請求項４】
前記読取手段は、前記搬送手段による搬送方向に対する前記媒体の下面側を読み取り可能なように設けられ、
前記搬送手段による搬送方向と直交する方向に前記読取手段の長手方向が配置されることを特徴とする請求項１から３のいずれか一項に記載の画像読取装置。
【請求項５】
前記読取手段の最下部と前記気流発生部の最下部とが前記設置面に対して同等の高さとなるように設けられることを特徴とする請求項１から４のいずれか一項に記載の画像読取装置。
【請求項６】
前記吸気口が前記筐体の前記鉛直方向における下端側に設けられることを特徴とする請求項１から５のいずれか一項に記載の画像読取装置。
【請求項７】
前記搬送手段および前記読取手段を制御する制御装置が搭載された制御基板を備え、
前記制御基板は、前記駆動部と接続されるケーブルが取り付けられるコネクタを有し、
前記コネクタが、前記制御基板における前記排気口側に配置されることを特徴とする請求項１から６のいずれか一項に記載の画像読取装置。
【請求項８】
前記読取手段の長手方向と平行な前記筐体の側壁に沿うように、前記制御基板が立設され、
前記吸気口は、前記制御基板に対し、前記鉛直方向の下端側に隣接するように設けられることを特徴とする請求項１から７のいずれか一項に記載の画像読取装置。
【請求項９】
前記制御装置は、前記制御基板における前記筐体内側の面であって、前記吸気口側に実装されることを特徴とする請求項７に記載の画像読取装置。
【請求項１０】
前記読取手段は、前記媒体に光を照射し、その反射光を光電変換することでアナログ信号を取得する光電変換素子を有し、
前記アナログ信号が入力されるＡＦＥが、前記読取手段における前記搬送路とは反対側であって、前記読取手段の長手方向における中央部分から前記排気口側の端部までの間に配置されることを特徴とする請求項１から９のいずれか一項に記載の画像読取装置。
【発明の詳細な説明】
【技術分野】
【０００１】
本発明は、原稿に光を照射するための光源及び読取センサの温度上昇を抑制することが出来る画像読取装置に関する。
【背景技術】
【０００２】
原稿を読み取る読取部は密閉型として紙粉及び埃等のゴミの侵入を防止し、内部に配置される光学部品等にゴミが付着しないように構成されていることが多い。このように読取部が密閉構造をとる場合、読取部の光源及びその周囲の温度が非常に高温となりやすい。しかし、温度上昇を抑えるために読取部に開放部を設けると、埃や塵などが読取部に付着し、読み取り品質の悪化に繋がるという問題があった。
【０００３】
特許文献１のように、外気を筐体内部に導入して、原稿用光源ランプ及び読取センサを冷却する場合にも、外気を直接読取センサに向けて送風すると、外気のゴミが読取センサに付着しやすくなるという問題がある。
【先行技術文献】
【特許文献】
【０００４】
【特許文献１】特開２０１３-９８７６２号公報
【発明の概要】
【発明が解決しようとする課題】
【０００５】
しかしながら、筐体内に略密閉空間を形成すると防塵性を保てる代わりに、筐体内に例えばＣＰＵやモータのような他の熱源がある場合には放熱効果が十分でないことがある。
【課題を解決するための手段】
【０００６】
上記を鑑み、本発明に係る画像読取装置は、
媒体の搬送路を有する筐体と、
前記搬送路に沿って媒体を搬送する搬送手段と、
搬送中の媒体の画像を光走査で読み取る読取手段と
を備え、
前記筐体には、前記筐体内に外気を取り込むための取込口と、前記筐体内の空気を前記筐体外に排気するための排気口とが設けられ、
前記筐体内に配置された前記搬送手段の駆動モータを固定する支持体の挿通孔を通って前記取込口と前記排気口との間を結ぶ気流経路の一部が、前記筐体内に配置された気流発生部によって前記読取手段の光走査方向に沿うように形成される。
【発明の効果】
【０００７】
本発明によれば、画像読取装置内部で空気の流れを作ることによって、画像読取装置内部の温度差を低減することができ、効率的に外部への放熱を行なうことができる。
【図面の簡単な説明】
【０００８】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６】本発明の一実施形態に係る画像読取装置の他の上面図。
【図７】本発明の一実施形態に係る画像読取装置の概略断面図。
【図８】本発明の一実施形態に係る画像読取装置の他の概略断面図。
【図９】本発明の一実施形態に係る画像読取装置の右側面図。
【図１０】本発明の一実施形態に係る画像読取装置の右側面図。
【図１１】本発明の一実施形態に係る画像読取装置の要部断面図。
【図１２】本発明の一実施形態に係る画像読取装置の画像読取ユニットの断面図。
【図１３】本発明の一実施形態に係る画像読取装置の左側面図
【図１４】本発明の一実施形態に係る画像読取装置の背面図。
【図１５】本発明の一実施形態に係る画像読取装置の下部ユニット断面図
【図１６】本発明の一実施形態に係る画像読取装置の背面視断面図
【図１７】本発明の一実施形態に係る画像読取装置のＣ矢視図。
【図１８】本発明の一実施形態に係る画像読取装置の他のＣ矢視図。
【図１９】本発明の一実施形態に係る画像読取装置の全体断面図。
【図２０】本発明の第二実施形態に係る画像読取装置の概略構成図。
【発明を実施するための形態】
【０００９】
（第一実施形態）
図１は本発明の一実施形態に係る画像読取装置Ａの概略図である。
【００１０】
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、ホルダ２００を用いることができる。透明なホルダ２００に見開き状態の冊子を収容して載置台１に載置することで、冊子がホルダ２００と共に搬送され、その画像を読み取ることができる。
【００１１】
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１２】
＜駆動部＞
駆動部３と送りローラ１１とを接続する伝達部５は、例えば、本実施形態では、通常時において駆動力が伝達される状態とし、搬送媒体Ｓを逆送または停止する場合には駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１３】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向）に回転駆動される。
【００１４】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１５】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作用を持たせるようにしてもよい。
【００１６】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１７】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。
【００１８】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れ回る。この従動ローラ３２は、バネ等の付勢ユニット（不図示）によって駆動ローラ３１に対して付勢された構成としてもよい。
【００１９】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第１延長トレイ２ｂ、第２延長トレイ２ｃ、第３延長トレイ２ｄとから構成されている。第１延長トレイ２ｂは第１排出トレイ２ａに対して摺動可能に支持されており、第２延長トレイ２ｃは第１延長トレイ２ｂに対して摺動可能に支持されており、第３延長トレイ２ｄは第２延長トレイ２ｃに対して摺動可能に支持されている。
【００２０】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２１】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２２】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２３】
＜レジストセンサ＞
このような重送検出センサ４０よりも搬送方向下流側に配置される媒体検出センサ５０は第２搬送部２０よりも上流側で、第１搬送部１０よりも下流側に配置された搬送路ＲＴ上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２４】
本実施形態の場合、搬送媒体Ｓの先端が媒体検出センサ５０で検出された時点で、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２５】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００２６】
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。また、画像読取ユニット７０はユニットの状態で密閉性を有しており、ユニット外部からのレンズアレーやイメージセンサの防塵性を確保している。
【００２７】
本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００２８】
＜ブロック図の説明＞
図２を参照して制御部８０について説明する。図２は画像読取装置Ａの制御部８０のブロック図である。
【００２９】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成され、制御基板８８に搭載されている。操作部８３は、例えば、スイッチやタッチパネル等で構成され、操作者からの操作を受け付ける。
【００３０】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００３１】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００３２】
＜ＰＣからの開始指示受信による駆動＞
画像読取装置Ａの基本的な動作について説明する。制御部８０は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００３３】
また、後述するように、画像読取装置Ａの操作部８３に設けられたスタートキーによって画像の読み取りを開始し、その後画像読取の開始を外部パソコンに通知するようにしてもよい。
【００３４】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００３５】
＜レジストセンサの出力に応じた読取開始＞
制御基板ユニット８８は、下部ユニット１０４に配置され、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３６】
尚、制御基板ユニット８８は、ＣＰＵ８１、記憶部８２、通信部８４の一部とインターフェース部８５の一部が実装された制御基板８８１と制御基板８８１を固定する制御基板固定板金８８２、送風手段２００からなり、本体に締結される。
【００３７】
＜表示パネルの構成＞
図３は本発明の一実施形態に係る画像読取装置Ａの排出トレイ２を展開した状態の正面図である。より正確には、画像読取装置Ａの正面側に傾斜して設けられた正面パネル９０に対して垂直な方向から見た図であり、装置を載置した状態における正面よりもやや上方から見た状態の図である。
【００３８】
正面上部の正面パネル９０には表示パネル９３が設けられ、その内部には操作部８３の一例としての操作キー群１２２が設けられている。
【００３９】
操作キー群１２２には、画像読取装置Ａの動作を開始するためのスタートキー、ストップキーなどが設けられており、操作キー群１２２に隣接するようにして表示部９４が設けられている。
【００４０】
＜排紙構造＞
正面下部の下部パネル９１には排出開口９２が設けられており、第３搬送部３０によって搬送された搬送媒体Ｓが排出される。
【００４１】
図４は本発明の一実施形態に係る画像読取装置Ａの排出トレイ２を収納した状態の正面図である。
【００４２】
排出トレイ２は、画像読取装置Ａに対して回動可能なように、画像読取装置Ａの下方に設けられた第１ヒンジ１０１を介して軸支されており、第１排出トレイ２ａによって本体前面を覆うように構成されている。
【００４３】
第１排出トレイ２ａは、第１ヒンジ１０１を支点として回動可能に画像読取装置Ａの本体１００に取り付けられている。第１排出トレイ２ａは、正面パネル９０と同サイズで形成され、図４に示すような排出トレイ２の収納状態において、第１ヒンジ１０１を支点として回動し、正面パネル９０を覆うように折り畳まれる。排紙トレイ２を正面パネル９０側に折り畳んだ状態において、排出開口９２は開放されており、搬送された搬送媒体Ｓの排出が可能となっている。
【００４４】
図５は本発明の一実施形態に係る画像読取装置Ａの排出トレイ２を展開した状態における上面図である。
【００４５】
第３搬送部３０により搬送されてきた搬送媒体Ｓは、排出開口９２を経て第１排出トレイ２ａに排出され、搬送媒体Ｓのサイズによっては第１排出トレイ２ａから引き出された第１延長トレイ２ｂ、第２延長トレイ２ｃ、第３延長トレイ２ｄまで到達し、案内される。
【００４６】
第３延長トレイ２ｄには、排出位置調整部材１２０が回動可能に設けられており、搬送媒体Ｓの搬送方向に対する長さに応じて引き出された各延長トレイに対し、起立状態に回動させることで搬送媒体Ｓが停止する位置を調整し、排出された搬送媒体Ｓを散らばりにくくして整列性を向上できる。
【００４７】
＜給送構造詳細＞
図６は本発明の一実施形態に係る画像読取装置Ａの排出トレイ２を収納した状態における上面図である。
【００４８】
給送トレイ１１０には、配置される搬送媒体Ｓの大きさに合わせて搬送方向に対して直交する方向にスライド可能に取り付けられた規制部材１１１が設けられている。また、給送トレイ１１０の中央には、引き出して使用することのできる給紙延長トレイ１１２が設けられている。
【００４９】
＜上部ユニット詳細＞
図７は本発明の一実施形態に係る画像読取装置Ａの概略断面図である。
【００５０】
筐体となる本体１００は、上部ユニット１０３と下部ユニット１０４とから構成され、上部ユニット１０３は下部ユニット１０４に対し、本体ヒンジ１０５を支点として回動可能に取り付けられている。なお、本実施形態においては、本体ヒンジ１０５は第１ヒンジ１０１と同軸に設けられており、軸部材を共通としている。
【００５１】
図８に示すような上部ユニット１０３を展開した状態における重心は、図７に示すような上部ユニット１０３を収納した状態よりも搬送方向前方側に大きくずれることになる。
【００５２】
したがって、搬送部１０を駆動する駆動部３、搬送部２０、３０を駆動する駆動部４は、画像読取装置Ａにおいて、図８のように上部ユニット１０３を開放した際の重心位置を低く抑えるため、図７、図８のように本体１００の下部に配置される。本実施形態においては、図８に示すように、駆動部３と駆動部４とが搬送方向の幅方向で重なって配置されている。
【００５３】
加えて、制御基板８８１を制御基板固定板金８８２に固定することで形成される制御基板ユニット８８は略平板状であり、本体１００の背面側で鉛直方向に直立させて配置している。
【００５４】
こうすることで、駆動部３と駆動部４とを本体１００においてより底面側に配置することができる。より好ましくは、制御基板固定板金８８２に対して駆動部３と駆動部４を取り付けるための駆動部固定板金（支持体）を設け、駆動部３と駆動部４とを、制御基板ユニット８８と一体のユニットとなるように構成することが好ましい。
【００５５】
駆動部固定板金は、制御基板固定板金８８２に対して垂直に、すなわち本体１００の背面側の側壁と直交する側壁（本体１００の幅方向の左右の側壁）と平行に設けられるのが好ましく、制御基板固定板金８８２と一体成型されていても良いし、別の板金を制御基板固定板金８８２に対してビスなどで固定することによって構成されていても良い。この場合、駆動部３および駆動部４としてモータを用いる際には、モータの駆動軸を本体１００の左右の側壁に向けて設け、モータの駆動軸が駆動部固定板金を貫通するようにして配置することで、駆動部３、駆動部４からの駆動力伝達機構（本実施形態においてはギアやシャフト）を本体１００の左右の側壁付近に設けることができ、制御基板ユニット８８が配置される本体１００内の収容部２１０内部のスペースを確保することができる。
【００５６】
また、このように制御基板ユニット８８を本体１００内で直立させて配置することによって、制御基板８８１上に設けられるＣＰＵなどの発熱部品に対し、発生する熱の自然対流を制御基板ユニット８８によって阻害せずに上昇させることができ、放熱性を向上できる。
【００５７】
また、上部ユニット１０３を展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図７のような上部ユニット１０３及び排出トレイ２の収納状態においては、排出トレイ２の下方に収まるような突出量であって、図８のような上部ユニット１０３の展開状態においては、本体１００の重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザの邪魔にならないようにすることができる。特に、突出部１３０の突出量を図８のような上部ユニット１０３の展開状態において、上部ユニット１０３の重心よりも搬送方向前方側まで延在するようにすることで、より確実に画像読取装置Ａの転倒を防止できる。
【００５８】
＜排出トレイ角度調節＞
また、突出部１３０の上面には、排出トレイ２を展開したときにその下面に当接するようにしたトレイ支持部１３１が回動可能に設けられている。
【００５９】
図９に示すように、排出トレイ２は、その展開状態においては、突出部１３０によって支持され、排出される搬送媒体Ｓを受けることができるようにされている。図１０に示すように、トレイ支持部１３１を突出部１３０上面から上方に突出するように回動させると、排出トレイ２に当接して排出トレイ２を支持することとなり、突出部１３０によって支持する図９の状態から、排出トレイ２の角度を調節できる。
【００６０】
本実施例においては、排出トレイ２における端面にトレイ支持部１３１が当接するようになっている。すなわち、排出トレイ２を正面パネル９０側に折り畳んだ状態で下を向いている面にトレイ支持部１３１が当接する。こうすることによって、トレイ支持部１３１との摩擦等により排出トレイ２表面に傷が付いた場合であっても、ユーザからは見えにくい位置となるため、排出トレイ２を折り畳んだ状態（収納状態）における美観を損ねることがない。
【００６１】
例えば、図１０の状態では、図９の状態と比べて、排出トレイ２が鉛直方向上方に持ち上げられることとなり、排出トレイ２の上面において搬送媒体Ｓの先端が着地する位置を変更することができる。これにより、図９の状態では、排出される搬送媒体Ｓの先端が、既に排出済みの搬送媒体Ｓの後端に当接して押し出してしまうような場合において、図１０のように排出トレイ２の角度を変更することで、既に排出済みの搬送媒体Ｓの後端を下部ユニット１０４側に寄せる作用に加えて、既に排出済みの搬送媒体Ｓの上面に、後続の搬送媒体Ｓの先端を確実に着地させることができる。このような構成により、排出トレイ２上での排出済みの搬送媒体Ｓの整列性を格段に向上することができる。
【００６２】
なお、トレイ支持部１３１は回動範囲の途中においても排出トレイ２を支持可能なように構成し、排出トレイ２の角度を複数段階で調節可能にしてもよい。その場合、搬送媒体Ｓごとに最も排出トレイ２上での整列性が高い角度で搬送媒体Ｓを受けることができ、使用性を向上できる。
【００６３】
＜上部ユニットのアース＞
図１１は本発明の一実施形態に係る画像読取装置Ａの要部断面図である。
【００６４】
上部ユニット１０３を収納する際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３の分離ローラ１２の両脇に、金属製の上部弾性部材１４０が設けられている。
【００６５】
上部ユニット１０３が収納状態となる際に、上部弾性部材１４０が下部ユニット１０４側に設けられた接点部１４１に弾性付勢されながら収納状態となる。上部弾性部材１４０の上部ユニット１０３に取り付けられる側の端部は、上部ユニット１０３内に設けられた電装部品のグランド側と導通しており、上部弾性部材１４０が接点部１４１に接触することによって下部ユニット１０４内に配置された電装部品のグランド側に導通される。
【００６６】
したがって、上部ユニット１０３の収納状態において、緩衝部材として機能する弾性部材１４０によって上部ユニット１０３側のアースを取ることができる。
【００６７】
＜ＣＩＳユニットのアース＞
図１２は本発明の一実施形態に係る画像読取装置Ａの画像読取ユニット７０の断面図である。
【００６８】
本実施形態においては、画像読取ユニット７０は搬送路ＲＴの両側に対向させて配置しており、以下の説明ではそれぞれ画像読取ユニット７０ａ、７０ｂとする。画像読取ユニット７０ａと７０ｂとは、搬送路ＲＴを挟んで対象に配置された同構造を有するセンサユニットである。
【００６９】
画像読取ユニット７０ａは、内部にコンタクトイメージセンサ（以下、ＣＩＳ）７１ａと、色基準板７２ａ、が設けられている。ＣＩＳ７１ａの中央にはＡＦＥ７１１ａが、ＣＩＳ７１ｂの中央にはＡＦＥ７１１ｂがそれぞれ配置されている。
【００７０】
下部ユニット１０４に配置されたＣＩＳ摺動モータ７３の駆動力を、画像読取ユニット７０下部に設けられた伝達部材７４および伝達部材連結部１５０を介して伝達することで、ＣＩＳ７１ａおよび色基準板７２ａは、搬送方向に対し摺動可能に配置される。ＣＩＳ７１ａおよび色基準板７２ａを摺動させることによって、背景色の切り替えが可能である。
【００７１】
読取画像の背景色を白にする場合は、ＣＩＳ摺動モータ７３によってＣＩＳ７１ａを摺動させ、読み取り位置を対向する白色基準板７２ｂの位置に配置することにより白背景読取が可能となる。このとき、ＣＩＳ７１ａと白色基準板７２ａとが一体となって移動するので、ＣＩＳ７２ａを白背景位置に配置するとＣＩＳ７２ｂの読み取り位置と対向する位置に白色基準板７２ａが配置され、画像読取ユニット７０ａ、７０ｂの両方で白背景の読み取りが可能となる。
【００７２】
読取画像の背景色を黒にする場合はＣＩＳ７１ａの読み取り位置を対向する黒背景部７６ｂの位置に配置することにより黒背景の読み取りが可能となる。
【００７３】
ＣＩＳ７１ａ内の発光素子の発光を黒背景部７６ｂの斜面で拡散させ、ＣＩＳ７１ａ内の受光素子へ入光させないことで黒背景の読み取りを実現する。
【００７４】
画像読取ユニット７０ｂも画像読取ユニット７０ａ同様の構造であるが、ＣＩＳ７１ｂはＣＩＳ摺動モータ７３による駆動はされずに、ユニット内に固定されている。
【００７５】
尚、画像読取ユニット７０は、経路ＲＴに露出するガラス付の読取ガイド７７と読取蓋７８、ＣＩＳ７１、白基準板７２によって構成され、ＣＩＳ７１は読取ガイド７７に係止されている。このように、ＣＩＳ７１や白基準板７２は読取ガイド７７と読取蓋７８にて覆われるため、ユニットの状態で外部からの防塵性を確保される。ＣＩＳ７１で発生する熱の放熱に関しては別途後述する。
【００７６】
画像読取ユニット７０ａは、下部ユニット１０４の読取手段収容部１０４１に挿入される際に、下部ユニット１０４側から突出した金属製の下部弾性部材７５を付勢しながら挿入され、収容完了位置において、嵌合固定される。
【００７７】
画像読取ユニット７０ａの下面は不図示の金属製部材で覆われており、ＣＩＳ７１ａなどの電装部品とアースが取られている。金属製部材で下部弾性部材７５を付勢しながら挿入されることで、画像読取ユニット７０は下部ユニット１０４に対しアースされる。尚、金属製部材は上部ユニット、下部ユニットの収容部に対向する３面に構成されるように折り曲げて形成されている。
【００７８】
ここで、画像読取ユニット７０は、下部弾性部材７５によって上方に付勢されているため、嵌合固定を外すだけで画像読取ユニット７０が上方に持ち上げられ、画像読取ユニット７０の取り外しが容易となり、メンテナンス性を向上できる。
【００７９】
上部ユニット１０３、下部ユニット１０４の収容部１０３１、１０４１は読取ユニット７０と対向する３面が構成されるように形成されているため、読取ユニット７０と２重構造となり防塵性向上に寄与する。
【００８０】
＜下部ユニット詳細＞
図１のように下部ユニット１０４は、下部ユニット１０４を構成する樹脂部材によって経路ＲＴを構成する上側の面と下側の面のうちの下側（本体１００の設置面側）の面の一部を形成し、下部ユニット１０４の内部には、駆動部３、駆動部４、駆動伝達部５、送りローラ１１、駆動ローラ２１、駆動ローラ３１、画像読取ユニット７０ａ、第１ヒンジ１０１、図７に示す制御基板ユニット８８および収容部２１０を備える。一般にストレートパスを有する画像読取装置においては給紙順に読取を行うが、本実施形態においては、載置台１に積載された搬送媒体Ｓは表面が下側（設置面側）となるように積載されており、そのため下部ユニット１０４側に画像読取ユニット７０の表面読取ユニット７０ａを配置する構成となる。よって片面読取においても画像読取ユニット７０は下部ユニット１０４に配置される。
【００８１】
＜排熱孔＞
図１３は本発明の一実施形態に係る画像読取装置Ａの左側面図である。図１３のように収容部２１０に本体１００の外部の空気を取り入れるための吸気口２１１が配置されている。また、制御基板ユニット８８における制御基板８８１の通信部８４が配置されており、前述のとおり外部装置との情報通信を行う。
【００８２】
図１４は本発明の一実施形態に係る画像読取装置Ａの背面図である。気流発生部となる送風手段２００は吸気口２１１よりも鉛直方向で搬送路に近い位置に配置され、送風手段２００の近傍には送風手段２００で発生した気流を収容部２１０の外部に排気するための排熱孔（排気口）２１２が略同じ鉛直方向高さで配置されている。
【００８３】
図１５は下部ユニット１０４を上方向からみた断面図である。制御基板固定板金８８２は駆動部３、駆動部４を固定するステーに固定され、下部ユニット１０４の外周部を構成する。送風手段２００は制御基板固定板金８８２に、本体内側から外側に向けて気流を作るように固定される。これらに加えて制御基板８８１によって制御基板ユニット８８の一部を構成しており、図１５において点線で示している。ここで、送風手段２００の吹き出し側まで制御基板固定板金８８２を延在させ、送風手段２００の吹き出し方向における正面側で制御基板固定板金８８２に対して固定している。詳細は図１７に示している。すなわち、本体１００の背面側に向けて送風する送風手段２００が制御基板固定板金８８２に向けて気流を吹き出すように取り付けられている。左側には収容部２１０の吸気口２１１、右側には収容部２１０の排熱孔２１２が配置されている。送風手段２００および排熱孔２１２は吸気口２１１よりも画像読取ユニット７０に対して設置面鉛直方向で近い位置に配置されている。より具体的には、画像読取ユニット７０よりも僅かに鉛直方向上方に位置するように送風手段２００を配置し、排熱孔２１２は送風手段２００に対向するように配置されている。この構成によって、送風手段２００によって形成される気流が、画像読取ユニット７０近傍を通過してから排熱孔２１２へ到達しやすくなる。
【００８４】
前述したように載置台１に積載された１枚または複数枚の搬送媒体Ｓを１つずつ装置内に経路ＲＴにて搬送してその画像を読み取り、排出トレイ２に排出すると読取センサのＬＥＤの熱や搬送部１０〜３０を駆動する駆動部３、駆動部４の熱、図２のようにセンサやインターフェースの通信の制御を行うための制御基板８８１のＣＰＵ８１の熱が発生し、収容部２１０内部に熱が滞留する。
【００８５】
図１６は本発明の一実施形態に係る画像読取装置Ａの背面視断面図である。送風手段２００が気流を発生すると、図１６のように、収容部２１０の内部に滞留した熱を含んだ空気が送風手段２００によって排熱孔２１２から外に排出される。図１６において、排熱孔２１２は送風手段２００と対向する位置、すなわち紙面手前側に設けられている。そして収容部２１０内部の下がった気圧によって外部の冷えた空気３００が吸気口２１１から取り込まれる。この時、吸気口２１１の内側に配置された駆動部３または駆動部固定板金に衝突することによって吸気口２１１から入った気流の一部３０１が設置面の鉛直方向上側の気流経路に向けて偏向され、設置面からより高い位置に配置された読取手段収容部１０４１の給紙口側に到達する。駆動部３に衝突することによって気流が鉛直方向に向くことにより、外気のゴミの一部は重力によって落下し、気流内のゴミのスクリーニングが行われる。
【００８６】
画像読取ユニット７０の内部で発生した熱はユニットの図１２の読取ガイド７７ａ、７７ｂや読取蓋７８ａ、７８ｂから放熱される。また、ＡＦＥ７１１ａで発生した熱も同様に下部ユニット１０４の読取手段収容部１０４１に伝熱される。
【００８７】
前述の偏向された一部の気流３０１は制御基板８８１、読取手段収容部１０４１、駆動手段３、４を固定する板金、そして収容部２１０で囲まれた空間の読取手段収容部１０４１近傍に到達する。読取手段収容部１０４１近傍に到達した空気は図１６の気流３０１の方向、図１８の矢印の方向に、読取手段収容部１０４１の吸気口側から排熱孔側まで読取手段から放熱された熱を吸収しながら移動し、送風手段２００近傍に到達する。その後、送風手段２００によって収容部２１０の排熱孔２１２を通って装置外に排出される。このように送風手段２００が気流を発生すると、吸気口２１１から流入した気流が、読取手段収容部１０４１が延びる方向に沿って流れるため、直接気流を積極的に読取手段収容部１０４１の方向に向けて当てる時に比べ防塵性を確保しつつ、排熱孔から温度の高くなった空気を放出することが出来る。また、排熱孔２１２が読取手段収容部１０４１の設置面鉛直方向で同程度の高さに配置されるため、気流が読取手段収容部１０４１に沿って移動し、読取手段から放出された熱を気流が読取手段収容部１０４１を介して効率的に吸収して、排熱孔２１２から排出することで読取手段７０が冷却される。
【００８８】
前述した通り、図１６において外部の冷えた空気３００が吸気口２１１から取り込まれると、吸気口２１１の内側に配置された駆動部３に衝突し、気流が乱れる。この時、駆動部３を経由した空気の一部３０１は読取手段収容部１０４１近傍に向かうが、他の方向に偏向した気流３０１によって装置内部の空気が撹拌され、収容部２１０内部に空気の対流３０２を生み出し収容部２１０内部の冷却効果を増進する。
【００８９】
図１７は本発明の一実施形態に係る画像読取装置Ａを図１の矢印Ｃの方向から見た図である。図１７のように、制御基板ユニット８８に接続するコネクタは制御基板８８１における排熱孔２１２、送風手段２００側（図１７における左側）に配置されている。それに伴って、コネクタから延びるケーブルは、下部ユニット１０４内で一旦束ねられて収容部２１０の前方側の壁面に固定されている。
【００９０】
これによって、下部ユニット１０４の背面側に配置される制御基板８８１のコネクタから収容部２１０内でケーブルが前方の壁面まで引き延ばされ、そのケーブルによって、気流を滞留させることができる。すなわち、ケーブルに衝突することによって、気流が滞留し、その位置と対向するように制御基板８８１の中央部であって、やや吸気口２１１側に取り付けられたＣＰＵ８１と熱交換した気体が、そのまま上昇しやすくなっている。そうして上昇した気体３０３は、図１６に示す読取手段収容部１０４１に沿って流れる気流の一部３０１によって、排熱孔２１２方向に導かれ、本体１００から排気される。
【００９１】
また、送風手段２００は、上述したように、制御基板固定板金８８２に本体から外側に向けて気流を作るように固定されているが、より詳しくは、図１７に示すように、送風手段２００の吐き出し側に制御基板固定板金８８２から突出して設けられた取り付け腕部８８２ａに対して固定されている。この構成によれば、送風手段２００において風量の大きい吐き出し側に制御基板固定板金８８２を配置したことで、制御基板固定板金８８２と気流との熱交換を促進し、ＣＰＵ８１等の電装部品の熱を放出する制御基板固定板金８８２を低温に保ち易くすることができる。
【００９２】
図１８は、図１７同様、本発明の一実施形態に係る画像読取装置Ａを図１の矢印Ｃの方向から見た図であるが、制御基板固定板金８８２、制御基板ユニット８８、送風手段２００およびそれらにつながるケーブル等を不図示としている。
【００９３】
上述したように、吸気口２１１から吸い込まれた空気が駆動部３に衝突（駆動部３を経由）することで拡散し、一部は、図１８に示すように、下部ユニット１０４の底面側を通って幅方向の中央部へ向かうように通流する。
【００９４】
送風手段２００により負圧となっている収容部２１０内における気流は、基本的に送風手段２００に向かおうとするが、圧損の低い方に流れやすくなっているため、上述したようにケーブルによって阻害されない上方に向かって流れやすくなっている。このうち、制御基板８８１側を通る空気は比較的送風手段２００側に向かいやすいが、下部ユニット１０４の前面側から上昇する気流については、そのまま読取手段収容部１０４１まで到達しやすくなっている。下部ユニット１０４の前面側から上昇する気流は、熱交換する部品の近傍をほとんど通らずに読取手段収容部１０４１まで到達するため、読取手段収容部１０４１の冷却に寄与させることができる。その後、図１６における右側から流れてくる空気の一部３０１と合流して送風手段２００に向かって排気される。つまり、駆動部３によって拡散された空気が、読取手段収容部１０４１における中央部、すなわち本実施形態においては、ＡＦＥ７１１ａが配置される位置の近傍において合流するように、ケーブル等を用いて冷却風の通流経路が形成されている。
【００９５】
図１９は、本発明の一実施形態に係る画像読取装置Ａの略断面図である。図１７、図１９のように、制御基板ユニット８８の制御基板８８１の実装物は製品の内側すなわち吸気口２１１から取り込まれた気流の通り道側に面しており、送風手段２００による気流や前述の対流によって制御基板８８１は冷却される。すなわち、図１９に示すように、吸気口２１１は、制御基板８８１よりも前方に配置されている。特に制御基板の熱源の１つであるＣＰＵ８１は制御基板の吸気口２１１側に配置されており、気流の通り道に露出した形で配置されているため、送風手段２００のよって作り出される気流や前述の駆動部３よって乱れた気流によって作り出される対流によって冷却される。
【００９６】
図１９のように経路ＲＴの上部ユニット１０３側にある読取センサユニット７０ｂは読取ガイド７７ｂから下部ユニット１０４側の読取センサユニット７０ａや搬送されてくる読取媒体Ｓを介して放熱する。
【００９７】
（第二実施形態）
図２０には、本発明の第二の実施形態を示している。媒体の画像を読み取る画像読取装置としては、装置を小型化するために装置設置面に対して搬送路を傾けて構成されるデスクサイド型スキャナが知られており、第一実施形態同様に、第二の実施形態においても特にデスクサイド型スキャナに好適に用いられる。
【００９８】
図２０には、本発明の第二実施形態に係る画像読取装置の概略構成図を示す。図２０に示すように、本実施形態の画像読取装置１００１は、装置設置面Ｇに対して傾斜した搬送路ＲＴを有する筐体１０１０と、複数の原稿Ｓ（原稿束）が載置される原稿載置台１０２０と、原稿載置台１０２０上から原稿Ｓを一枚ずつ分離して搬送路ＲＴ内に給送する分離給送部１０３０と、搬送路ＲＴに沿って原稿Ｓを搬送する搬送部１０４０と、搬送中の原稿Ｓの画像を光走査によって読み取る画像読取部１０５１、１０５２とを備える。
【００９９】
装置本体を構成する筐体１０１０は、装置設置面Ｇに設置される第１筐体１０１１と、この第１筐体１０１１との間で搬送路ＲＴを形成する第２筐体１０１２とで構成される。なお、この第２筐体１０１２は、第１筐体１０１１に対して不図示の回転ヒンジにより回動可能に連結され、装置メンテナンス等のために搬送路ＲＴが開放できるようになっている。
【０１００】
また、第１筐体１０１１には、搬送路ＲＴの搬送方向上流側となる鉛直方向上端部側において搬送路ＲＴの取込口に配置された給送ローラ２０３１と、この給送ローラ２０３１の搬送方向下流側において所定の間隔をあけて配置された２組の搬送ローラ２０４１とが設けられている。
【０１０１】
このような第１筐体１０１１に連結される第２筐体１０１２には、給送ローラ２０３１に対向する位置に分離ローラ１０３２が配置され、各搬送ローラ２０４１に対向する位置には従動ローラ１０４２が配置されている。すなわち、分離給送部１０３０は給送ローラ２０３１及び分離ローラ１０３２により構成され、搬送部１０４０は搬送ローラ２０４１及び従動ローラ１０４２により構成される。なお、分離ローラ１０３２は、分離パッドとしても良い。
【０１０２】
ここで、第１筐体１０１１は、搬送路ＲＴの搬送面の一方を形成し、給送ローラ２０３１、各搬送ローラ２０４１、及び画像読取部１０５１をそれぞれ保持する保持体１１１１を有する。この保持体１１１１には、装置外装の一部を構成する側壁１１１１ａ（図２０（ｂ）参照）が両端部に設けられている。
【０１０３】
また、保持体１１１１は、搬送路ＲＴに対して画像読取面を対向させた画像読取部１０５１を保持している。この画像読取部１０５１は、その内部に光源と受光素子が樹脂ケース内に配置され、画像読取面側はガラス板で密封されている。そのため、画像読取部１０５１は、光源等で発生した熱が蓄積し易く、熱源となる。
【０１０４】
このような画像読取部１０５１の背面には、図示しないが画像読取基板が配置される。この画像読取基板には、例えば、受光素子で読み取った画像をデジタル信号に変換する変換部が実装されている。このような画像読取部１０５１の背面は、放熱やアースなどのために、画像読取基板と共に金属ケース１０５１ａによって覆われている。
【０１０５】
この画像読取部１０５１を保護する金属ケース１０５１ａは、保持体１１１１のうち搬送路ＲＴ側とは反対の裏面側において、第１筐体１０１１内の空間部Ｂを形成する内壁の一部を構成している。すなわち、画像読取部１０５１を覆う金属ケース１０５１ａは、空間部Ｂにその一部が露出するように配置されている。これにより、画像読取部１０５１で発生した熱の一部は、金属ケース１０５１ａを通じて空間部Ｂ内に放熱される。なお、画像読取部１０５２についてもこの画像読取部１０５１と同様の構成で金属ケース１０５２ａに覆われている。
【０１０６】
また、第１筐体１０１１には、上述した画像読取部１０５１の上流側、より詳細には給送ローラ２０３１とこれに続く搬送ローラ２０４１との間に、原稿Ｓを検知する原稿検知センサ１０１５が配置されている。この原稿検知センサ１０１５としては、例えば、画像読取部１０５１、１０５２の読取タイミングを制御するために原稿の到達又は通過を光学的に検知するレジストセンサや、原稿の重送を検知する超音波重送検知センサ、媒体の搬送音を検知する音検知センサ等を挙げることができる。
【０１０７】
また、このような原稿検知センサ１０１５の検出信号を受けるセンサ基板１１５０は、保持体１１１１のうち搬送路ＲＴ側とは反対側の裏面、すなわち、第１筐体１０１１の内側壁面に固定されている。本実施形態では、原稿検知センサ１０１５として超音波重送検知センサを配置し、上述した第２筐体１０１２側にレジストセンサ（不図示）を配置した。
【０１０８】
そして、このような保持体１１１１を有する第１筐体１０１１は、装置としての背面部１１１２ａ及び底面部１１１２ｂを形成する保護パネル１１１２を有する。例えば、本実施形態では、図２０（ａ）に示すように、装置の背面部１１１２ａは、底面部１１１２ｂに対して一体的に設けられ、底面部１１１２ｂに対して垂直方向（鉛直方向）に立設した。なお、背面部１１１２ａと底面部１１１２ｂとを別々のパネルで構成しても良い。
【０１０９】
また、保護パネル１１１２は、保持体１１１１の側壁１１１１ａの端部に沿って嵌め込まれることで、上記保持体１１１１と共に、第１筐体１０１１内の空間部Ｂを画成する。本実施形態では、この保護パネル１１１２は、保持体１１１１に対して空間部Ｂを開放するために着脱可能に設けられている。
【０１１０】
さらに、このような保護パネル１１１２（背面部１１１２ａ）には、図２０（ｂ）、（ｃ）に示すように、外気Ｗ０を取り込む吸気口Ｈ１と、外気Ｗ０と空間部Ｂとの間を連通した複数の通気孔で構成される通気部Ｈ２（ここでは排気口）が設けられている。この通気部Ｈ２は、本実施形態では装置設置面Ｇに対して第１筐体１０１１の鉛直方向上端部側、より詳細には画像読取部１０５１の読取位置よりも鉛直方向上方側に設けられ、更に画像読取部１０５１、１０５２の長手方向、すなわち、光走査方向と平行に帯状に設けられている。これにより、空間部Ｂに溜まった熱気は、鉛直方向上側に集まり易いため、通気部Ｈ２からの効率的な排熱が実現できる。
【０１１１】
そして、上述した第１筐体１０１１内に形成される空間部Ｂには、分離給送部１０３０及び搬送部１０４０の駆動源となる１つの駆動モータＭと、駆動モータＭ及び画像読取部１０５１、１０５２等を制御するための回路基板１０６０と、センサ基板１１５０、空間部Ｂ内で気流を発生させる送風機等の気流発生部１１００が収容されている。
【０１１２】
ここで、回路基板１０６０の周辺構造について説明する。回路基板１０６０の鉛直方向上側の一方面上には、画像読取部１０５１、１０５２で読み取った画像の処理等を行うためのプロセッサ１０６５等が実装されている。また、上述した駆動モータＭやセンサ基板１１５０は、この回路基板１０６０から通電可能に接続され、外部の電力が回路基板１０６０を介して供給されるようになっている。すなわち、回路基板１０６０は、電源基板を兼ねている。
【０１１３】
また、センサ基板１１５０は、回路基板１０６０に対して接続ケーブル１１５０ａを通じて接続され、この接続ケーブル１１５０ａは、画像読取部１０５１の光走査方向一端部を迂回して配線されている。
【０１１４】
このような回路基板１０６０は、本実施形態では中空の板金箱１０７０に収容され、板金箱１０７０と共に第１筐体１０１１の底面部１１１２ｂ側に配置されている。回路基板１０６０は、板金箱１０７０内において、プロセッサ１０６５の実装面（一方面）と板金箱１０７０の内面との間には、所定の隙間が形成されるように板金箱１０７０内に収容されている。
【０１１５】
なお、回路基板１０６０を収容する板金箱１０７０は、複数の外部端子１０６１が配列された一側部が第１筐体１０１１（保護パネル１１１２）の背面部１１１２ａに当接して設けられている。これにより、第１筐体１０１１の背面部１１１２ａには、装置設置面Ｇに対して鉛直方向の下端部において複数の外部端子１０６１がそれぞれ配置される。
【０１１６】
また、このような板金箱１０７０のうち鉛直方向上側の天板１０７０ａには、その厚さ方向に貫通して複数の連通孔１０７１が設けられ、詳細は後述するが、これら各連通孔１０７１を通じて板金箱１０７０内と空間部Ｂとの間で通気できるようになっている。
【０１１７】
（放熱構造）
以下、上述した第１筐体１０１１内の空間部Ｂにおける放熱構造について、詳細に説明する。
図２０に示すように、例えば、本実施形態では、第１筐体１０１１において底面部１１１２ｂ側に配置された板金箱１０７０の側方には、気流発生部１１００の送風方向が板金箱１０７０側に向くように配置されている。また、この気流発生部１１００は、第１筐体１０１１における画像読取部１０５１側の奥部、すなわち、保持体１１１１の壁面側であって画像読取部１０５１の長手方向（光走査方向）一端部の近傍に配置されている。一方、駆動モータＭは、装置の背面部１１１２ａ側に配置され、駆動モータＭの振動が画像読取部１０５１に伝達されるのを低減している。このように本実施形態では、気流発生部１１００を駆動モータＭと画像読取部１０５１との間に配置することで、効率的な放熱が可能となる。
【０１１８】
具体的には、気流発生部１１００は、第１筐体１０１１の底面部１１１２ｂと略平行に、画像読取部１０５１の背面側をその長手方向に沿って風を流し、更に板金箱１０７０内にも流れるようにし、２つの気流Ｗ１，Ｗ２を形成している（図２０（ｂ）及び図１（ｃ）参照）。
【０１１９】
ここで、気流Ｗ１は、図２０（ｂ）に示すように、板金箱１０７０の側方から不図示の貫通孔によってその内部に流れ、板金箱１０７０内で回路基板１０６０の面方向に広がって流れる。これにより、プロセッサ１０６５等を含む回路基板１０６０が冷却され、板金箱１０７０内の熱気は、板金箱１０７０の天板１０７０ａに設けられた複数の連通孔１０７１を通じて、板金箱１０７０の鉛直方向上方側の空間部Ｂへ放出される（図２０（ａ）及び図１（ｂ）参照）。すなわち、気流Ｗ１は、回路基板１０６０を冷却する気流となる。
【０１２０】
また、気流Ｗ２は、図２０（ｂ）に示すように、板金箱１０７０の上面（天板１０７０ａ）に沿って流れるが、このとき、画像読取部１０５１の金属ケース１０５１ａをその長手方向に沿って流れる。すなわち、気流Ｗ２は、画像読取部１０５１で発生する熱、つまり、金属ケース１０５１ａで放熱される熱を巻き込んで画像読取部１０５１（金属ケース１０５１ａ）と板金箱１０７０の天板１０７０ａとを冷却する気流となる。なお、本実施形態では、センサ基板１１５０と回路基板１０６０との接続ケーブル１１５０ａを画像読取部１０５１の長手方向一端部側を通して迂回しているので、接続ケーブル１１５０ａが気流Ｗ２を遮ることがなく、画像読取部１０５１の冷却効果を高めている。
【０１２１】
そして、気流Ｗ１、Ｗ２は、空間部Ｂに対する複数の連通孔１０７１の開口付近で実質的に合流するようにし、これら連通孔１０７１から鉛直方向上端部側へ吹き上がる上昇気流（気流Ｗ３）となり、空間部Ｂの鉛直方向上部壁面に当たるなどして、背面部１１１２ａの鉛直方向上端部側に設けられた通気部Ｈ２から外部へ放出される（気流Ｗ４）。
【０１２２】
なお、気流発生部１１００は、本実施形態では駆動モータＭの近くに配置しているので、駆動モータＭから発する熱も上述した気流Ｗ１、Ｗ２に巻き込むことができるので、効率的な放熱を実現できる。
【０１２３】
以上説明したように、本実施形態によれば、第１筐体１０１１における熱源、すなわち、画像読取部１０５１及び回路基板１０６０、駆動モータＭで発生した熱を第１筐体１０１１の底面部１１１２ｂ側から鉛直方向上端部側への上昇気流によって通気部Ｈ２から強制排気することができる。これにより、第１筐体１０１１内において熱気が蓄積され難くなるため、例えば、駆動モータＭの出力を高めたり、画像読取の処理速度を上げたりして、高速搬送に加えて、画像処理の高速化にも対応し易くなる。また、気流発生部１１００を第１筐体１０１１の駆動モータＭと画像読取部１０５１との隙間に配置したことで、装置が大型化することもない。したがって、画像読取装置の大型化を抑えつつ、効率的な放熱を行える放熱構造を備えたデスクサイド型スキャナ等の画像読取装置を実現できる。
【０１２４】
〔他の実施形態〕
以上、本発明を第一、第二の実施形態に基づいて詳細に説明したが、本発明は上述した実施形態に限定されるものではない。
【０１２５】
例えば、上述した第二の実施形態では、回路基板を板金箱内に収容した構造を説明したが、本発明は勿論これに限定されず、例えば、回路基板は、プロセッサが実装された一方面側を覆うように板金を取り付け、板金と回路基板の一方面との間を面方向に通過する気流を発生させるようにしてもよい。あるいは、回路基板のプロセッサが実装された一方面側を鉛直方向上側に向けて第１筐体の底側に配置された板金板上に取り付け、回路基板の一方面側を面方向に通過する気流を発生させるようにしてもよい。いずれの場合にも、効率的な放熱を実現できる。
【０１２６】
また、上述した第二の実施形態では、第１筐体内に１つの駆動モータを設置した場合について説明したが、本発明は勿論これに限定されず、例えば、分離給送部と搬送部とを別々の駆動モータにより駆動するようにしてもよい。この場合には、画像読取部の光走査方向の両側にそれぞれ駆動モータを分けて設置し、その間に回路基板を配置して、駆動モータや回路基板で発生した熱を巻き込む気流を発生させるようにすればよい。
【０１２７】
さらに、上述した第二の実施形態では、気流発生部を駆動モータと画像読取部との間に配置したが、本発明は勿論これに限定されず、例えば、板金箱の上部に設けて上昇気流を発生させるようにしてもよいし、通気部の近くに配置してもよいし、駆動モータと一体的に設けてもよい。板金箱の内部に気流発生部を設けて気流を発生してもよい。
【０１２８】
また、上述した第二の実施形態では、通気部を第１筐体の背面部の鉛直方向上端部側に設けた場合について説明したが、本発明は勿論これに限定されず、例えば、第１筐体の側壁部に設けてもよい。
【０１２９】
なお、本発明において、搬送路を搬送させるときの媒体の搬送音を検知する音検知センサを設ける場合には、音検知センサの検知時において、気流発生部の駆動を一時的に停止または減速制御して騒音を低減するようにしてもよい。
【０１３０】
以下、第二の実施形態および他の実施形態に係る画像読取装置を整理すると、
設置面に対して傾斜した媒体の搬送路を有する筐体と、
媒体を前記搬送路に沿って搬送する搬送部と、
前記筐体に固定され、媒体の搬送方向と直交する一方向に光走査して搬送中の媒体の画像を読み取る画像読取部と、
前記画像読取部で読み取った画像データを処理するプロセッサが実装された回路基板と、を備え、
前記筐体は、前記画像読取部を固定した第１筐体と、前記第１筐体に連結されて前記第１筐体との間で前記搬送路を形成する第２筐体とを有し、
前記第１筐体は、前記設置面に対して立設されると共に前記第２筐体側とは反対側の背面を形成する背面部を有し、
前記背面部には、前記回路基板を収容した前記第１筐体内の空間部と外部との間を連通する通気部が前記設置面に対して前記画像読取部の画像読取位置よりも鉛直方向の高い位置に設けられ、
前記空間部内に設置された気流発生部により前記背面部の壁面に沿った上昇気流を前記空間部内に発生させると共に、前記プロセッサ及び前記画像読取部の駆動により生じた前記空間部内の熱気を前記上昇気流に巻き込んで前記通気部から外部に放出するようにしたことを特徴とする。
【０１３１】
また、前記回路基板は、前記プロセッサが実装された一方面側を覆う板金に取り付けられた状態で前記板金と共に前記第１筐体の底側に配置され、
前記気流発生部は、前記板金と前記回路基板の一方面との間を面方向に通過する気流を発生させることを特徴とする。
【０１３２】
また、前記回路基板は、前記プロセッサが実装された一方面側を鉛直方向上側に向けて前記第１筐体の底側に配置された板金板上に取り付けられ、
前記気流発生部は、前記回路基板の一方面側を面方向に通過する気流を発生させることを特徴とする。
【０１３３】
また、前記回路基板は、前記プロセッサが実装された一方面側を鉛直方向上側に向けて中空の板金箱内に収容され、前記板金箱と共に前記第１筐体の前記設置面と平行にして前記第１筐体の底側に配置され、
前記板金箱のうち鉛直方向上側の天板には、厚さ方向に貫通することで前記板金箱内の空間と前記空間部との間を連通する連通孔が設けられ、
前記気流発生部は、前記板金箱内において前記回路基板の一方面側を面方向に通過する気流と、前記連通孔から鉛直方向上側に向かう前記上昇気流とを発生させることを特徴とする。
【０１３４】
また、前記回路基板が有する複数の外部端子部が一列に配列された側の前記板金箱の一側部は、前記第１筐体の前記背面部に当接され、
前記連通孔は、前記天板のうち前記板金箱の一側部側の端部に設けられ、
前記搬送路の下流側に配置された前記画像読取部は、媒体の画像を読み取る画像読取面とは反対の裏面側が金属ケースに収容され、
前記気流発生部は、前記板金箱と前記金属ケースとの間を通過する気流を発生させることを特徴とする。
【０１３５】
また、前記第１筐体には、前記搬送路の幅方向中央部において媒体を検知する媒体検知センサが固定され、
前記回路基板と前記媒体検知センサとを接続する接続ケーブルは、前記画像読取部の光走査方向一端部側において前記金属ケースのうち前記板金箱側の背面を迂回するように配線されていることを特徴とする。
【０１３６】
また、前記画像読取部は、前記搬送路の下流側において前記設置面に対して傾けた状態で固定され、
前記搬送部を駆動する駆動モータは、前記第１筐体のうち前記設置面の面方向において前記画像読取部側とは反対の前記背面部側に配置され、
前記気流発生部は、前記設置面の面方向において前記駆動モータと前記画像読取部との間に配置されたことを特徴とする。
前記搬送路の上流側には、媒体の搬送音を検知する音検知部が設けられ、
前記音検知部の検知時には、前記気流発生部の駆動を停止または減速制御することを特徴とする。
【０１３７】
以上、本発明の実施形態について詳細に説明したが、本発明の範囲内にて種々の変更が可能である。
【符号の説明】
【０１３８】
Ａ  画像読取装置
Ｓ  搬送媒体
１  載置台
３  駆動部
４  駆動部
７０  画像読取ユニット
８０  制御部
８１  ＣＰＵ
８８  制御基板ユニット
８８１  制御基板
８８２  制御基板固定板金
１００  本体
１０３  上部ユニット
１０４  下部ユニット
２００  送風手段
２１０  収容手段
２１１  吸気口
２１２  排熱孔
【図１】
2018157408.tif 000003
【図２】
2018157408.tif 000004
【図３】
2018157408.tif 000005
【図４】
2018157408.tif 000006
【図５】
2018157408.tif 000007
【図６】
2018157408.tif 000008
【図７】
2018157408.tif 000009
【図８】
2018157408.tif 000010
【図９】
2018157408.tif 000011
【図１０】
2018157408.tif 000012
【図１１】
2018157408.tif 000013
【図１２】
2018157408.tif 000014
【図１３】
2018157408.tif 000015
【図１４】
2018157408.tif 000016
【図１５】
2018157408.tif 000017
【図１６】
2018157408.tif 000018
【図１７】
2018157408.tif 000019
【図１８】
2018157408.tif 000020
【図１９】
2018157408.tif 000021
【図２０】
2018157408.tif 000022